(57)【特許請求の範囲】
【請求項１】
手洗い器と、当該手洗い器を載置する手洗い器載置部をトイレ内に固定した手洗い器のトイレ内固定構造において、
前記手洗い器載置部をトイレに設置した状態において当該手洗い器載置部上面前方の所定部分が当該手洗い器載置部上面後方よりも高さが高くなっており、
前記手洗い器載置部上面の高さが高くなった部分に前記手洗い器の底面前方が第１の締結具によって当接状態で固定されるとともに、
前記手洗い器載置部上面の高さが低くなった部分に前記手洗い器の底面後方が、当該手洗い器の底面後方と手洗い器載置部上面との間に形成された空間を介して第２の締結具によって前記手洗い器上部がトイレの壁面の前面に押付けられるように固定されることを特徴とする手洗い器のトイレ内固定構造。
【請求項２】
手洗い器と、当該手洗い器を載置する手洗い器載置部をトイレ内に固定した手洗い器のトイレ内固定構造において、
前記手洗い器を手洗い器載置部に載置したまま当該手洗い器載置部をトイレに設置した状態において前記手洗い器載置部上面と当接する載置部当接面が当該手洗い器の底面前方に形成されるとともに、前記載置部当接面以外の手洗い器底面後方は手洗い器載置部上面と一定の空間を介して対向するようになっており、
前記手洗い器の載置部当接面が第１の締結具によって前記手洗い器載置部に当接状態で固定されるとともに、
前記手洗い器載置部上面に前記手洗い器の底面後方が、当該手洗い器載置部上面と手洗い器の底面後方との間に形成された空間を介して第２の締結具によって前記手洗い器上部がトイレ壁面の前面に押し付けられるように固定されることを特徴とする手洗い器のトイレ内固定構造。
【請求項３】
前記第２の締結具を締め付けることで前記手洗い器上部とトイレ壁面の前面との押付け度合いを調整可能となったことを特徴とする、請求項１又は請求項２に記載の手洗い器のトイレ内固定構造。
【発明の詳細な説明】
【技術分野】
【０００１】
本発明は、トイレ内への手洗い器の固定構造に関し、より詳しくはトイレの壁部に手洗い器を固定するトイレ内への手洗い器の固定構造に関する。
【背景技術】
【０００２】
トイレ内への手洗い器の固定構造に関しては従来から幾つかのタイプが考えられており、このうちの一つとしてトイレ壁裏面に受け木を固定するとともに、この受け木の一つにバックハンガーと呼ばれる手洗い器上部固定用金具を取り付けたものが知られている（例えば、特許文献１参照）。
【０００３】
かかる特許文献１に記載のトイレ内への手洗い器の固定構造は、より詳細には、トイレの壁面所定位置を床面から一定の高さまで矩形状にくり抜き、このくり抜いた壁部裏面の開口縁部近傍を例えば木材でできた受け木で縁取り補強するとともに、同様な受け木を所定本数水平方向に架け渡してこの上方側受け木にくの字に折り曲げた金属製のバックハンガーを釘やビスで固定している。そして、バックハンガーに手洗い器の上部を引っ掛けるとともに、手洗い器の下面もキャビネットなどの手洗い器載置部にビス等の締結具で固定している。
【特許文献１】特開２００１−２６９６２号公報（２頁、図１）
【発明の開示】
【発明が解決しようとする課題】
【０００４】
図６はこのような従来型のトイレ内への手洗い器の固定構造を示した概略図であり、手洗い器の幅方向ほぼ中央部分に沿って切断した状態を、ハッチングを省略したまま示している。この図から明らかなように、手洗い器５１０を固定するために、受け木１５をトイレ壁面ＳＷの裏側であって手洗い器収容部１０内に予め取り付けなければならず、施工上面倒である。また、手洗い器５１０がバックハンガー１１に引っ掛かる引っ掛け部５１１を手洗い器５１０の上部に有するために手洗い器上部が前方にかなり突出しており、埋め込み式手洗い器のメリットを生かせないとともに手洗い器の見栄えを損なっている。また、このような取り付け構造では手洗い器５１０をバックハンガー１１に引っ掛けているだけでトイレ壁面に積極的に押し付けているわけではないので、トイレ壁面と手洗い器側面との間に隙間が生じやすく、この点でも手洗い器５１０の見栄えを損なっている。
【０００５】
なお、手洗い器上部にこのような前方に突出した引っ掛け部５１１を備える代わりに手洗い器上部をトイレ壁面ＳＷの受け木１５にビス等の締結具で直接固定する構造も考えられるが、ビスの頭部が手洗い器の上部に露出してしまい、この場合も手洗い器の見栄えを損なってしまう。
【０００６】
本発明の目的は、簡単な取り付け構造を有するとともに手洗い器に余分な突出部を形成させずにかつ手洗い器とトイレ壁面との間に隙間を生じさせることなく、手洗い器の見栄えを損なわずに済むトイレ内への手洗い器の固定構造を提供することにある。
【課題を解決するための手段】
【０００７】
上述した課題を解決するために、本発明にかかるトイレ内への手洗い器の固定構造は、
手洗い器と、当該手洗い器を載置する手洗い器載置部をトイレ内に固定した手洗い器のトイレ内固定構造において、
前記手洗い器載置部をトイレに設置した状態において当該手洗い器載置部上面前方の所定部分が当該手洗い器載置部上面後方よりも高さが高くなっており、
前記手洗い器載置部上面の高さが高くなった部分に前記手洗い器の底面前方が第１の締結具によって当接状態で固定されるとともに、
前記手洗い器載置部上面の高さが低くなった部分に前記手洗い器の底面後方が、当該手洗い器の底面後方と手洗い器載置部上面との間に形成された空間を介して第２の締結具によって前記手洗い器上部がトイレの壁面の前面に押付けられるように固定されることを特徴としている。
【０００８】
このような固定構造をとることで、手洗い器上部に余分な突出部を形成させたり、手洗い器固定用ビスの頭を露出させたり、かつ手洗い器とトイレ壁面との間に隙間を生じさせたりすることなく、手洗い器の見栄えを損なわずに済む。
【０００９】
また、手洗い器固定置用の特別な補強用受け木をトイレ壁面の裏側に設ける必要がなく、手洗い器の固定に関する施工が楽になる。
【００１０】
また、本発明の請求項２に記載のトイレ内への手洗い器の固定構造は、請求項１に記載のトイレ内への手洗い器の固定構造において、
手洗い器と、当該手洗い器を載置する手洗い器載置部をトイレ内に固定した手洗い器のトイレ内固定構造において、
前記手洗い器を手洗い器載置部に載置したまま当該手洗い器載置部をトイレに設置した状態において前記手洗い器載置部上面と当接する載置部当接面が当該手洗い器の底面前方に形成されるとともに、前記載置部当接面以外の手洗い器底面後方は手洗い器載置部上面と一定の空間を介して対向するようになっており、
前記手洗い器の載置部当接面が第１の締結具によって前記手洗い器載置部に当接状態で固定されるとともに、
前記手洗い器載置部上面に前記手洗い器の底面後方が、当該手洗い器載置部上面と手洗い器の底面後方との間に形成された空間を介して第２の締結具によって前記手洗い器上部がトイレ壁面の前面に押し付けられるように固定されることを特徴としている。
【００１１】
このような固定構造をとることによっても、手洗い器上部に余分な突出部を形成させたり、手洗い器固定用ビスの頭部を露出させたりすることがなく、かつ手洗い器とトイレ壁面との間に隙間を生じさせることもなく、手洗い器の見栄えを損なわずに済む。
【００１２】
また、手洗い器固定用の特別な補強用受け木をトイレ壁面の裏側に設ける必要がなく、手洗い器の固定に関する施工が楽になる。
【００１３】
また、本発明の請求項３に記載のトイレ内への手洗い器の固定構造は、請求項１又は請求項２に記載のトイレ内への手洗い器の固定構造において、
前記第２の締結具を締め付けることで前記手洗い器上部とトイレ壁面の前面との押付け度合いを調整可能となったことを特徴としている。
【００１４】
これによって、手洗い器の上部をトイレの壁面によりしっかりと押し付けることができるようになり、手洗い器とトイレ壁面とを密着させてこの間に隙間を生じさせなくする。
【発明の効果】
【００１５】
本発明によると、簡単な取り付け構造を有するとともに手洗い器に余分な突出部を形成させずにかつ手洗い器とトイレ壁面との間に隙間を生じさせることなく、手洗い器の見栄えを損なわずに済むトイレ内への手洗い器の固定構造を提供することができる。
【発明を実施するための最良の形態】
【００１６】
以下、本発明の第１の実施形態にかかるトイレ内への手洗い器の固定構造について図面に基づいて説明する。ここで、図１は、本発明の第１の実施形態にかかる手洗い器のトイレ内固定構造を示した概略図であり、手洗い器の幅方向ほぼ中央部分に沿って切断した状態を、ハッチングを省略したまま示している。また、図２は、図１に示した手洗い器のトイレ内固定構造のうち手洗い器のみを示した平面図である。
【００１７】
本発明の第１の実施形態にかかるトイレ内への手洗い器の固定構造は、図１に示すように、手洗い器１１０と、この手洗い器１１０を載置するキャビネット（手洗い器載置部）１２０を備え、トイレ壁面ＳＷを所定の大きさにくり抜いた手洗い器収容部１０に手洗い器１１０の後方とキャビネット１２０の後方が一部入り込んだ状態でトイレ内に固定されている。
【００１８】
キャビネット１２０は例えば木材や樹脂でできた箱体からなり、これらをトイレに固定した状態においてトイレ壁面ＳＷよりもトイレ室内側に位置するキャビネット上面部分に所定厚さの板材からなる手洗い器当接部（カウンタ）１２５が取り付けられている。これによって、キャビネット上面のトイレ壁面ＳＷよりもトイレ室内側部分がトイレ壁面ＳＷよりもトイレ室外側部分に較べて高くなっている。
【００１９】
手洗い器１１０は陶器等でできており、本実施形態の場合、手洗い器１１０の底面は平坦に形成されている。また、手洗い器１１０の上部にはトイレ壁面に押し当てられながら当接する上側当接部１１７が形成されている。
【００２０】
また、手洗い器１１０の底面前方はキャビネット上面の高さが高くなった手洗い器当接部１２５に手洗い器前方固定ネジ（第１の締結具）１３０によって固定されている。また、手洗い器１１０の底面後方はキャビネット上面の高さが低くなった部分に手洗い器１１０の背面側底面とキャビネット上面との間に形成された空間を介して手洗い器後方固定ネジ（第２の締結具）１４０によって固定されている。なお、手洗い器前方固定ネジ１３０は、図２に示すように手洗い器１１０の底面前方の左右に備わった取り付け穴１１３ａ，１１３ｂを利用して取り付けられる。また、手洗い器後方固定ネジ１４０は、図２に示すように、手洗い器１１０の底面後方側の左右に備わった取り付け穴１１４ａ，１１４ｂを利用して取り付けられる。より詳細には、これらの固定ネジ１３０，１４０は、取り付け穴１１３ａ，１１３ｂ，１１４ａ，１１４ｂに埋設されたブッシュ及び内側に雌ネジが形成された金属製のカラーを介して手洗い器１１０に取付けられる。また、手洗い器後方固定ネジ１４０はその締め付け度合いを調整可能となっている。そして、手洗い器１１０の上側当接部１１７は手洗い器後方固定ネジ１４０を適度に締め付けることによってトイレ壁面ＳＷの前面に押し付け固定されるようになっている。
【００２１】
このような第１の実施形態にかかるトイレ内への手洗い器１１０の固定構造によると、手洗い器後方固定ネジ１４０の締め付け度合いを調整することによって、手洗い器１１０をキャビネット１２０の手洗い器当接部１２５の後方上側角部（図１中左上側角部）１２５ａを中心として図１中反時計方向に回るように手洗い器１１０をトイレの手洗い器収容部１０に引き込む。これによって、手洗い器１１０の上側当接部１１７はトイレ壁面ＳＷの前面にしっかりと押し付け固定されるとともに、手洗い器側面もトイレ壁面ＳＷの手洗い器収容部１０の開口側縁部に押し付けられて手洗い器上部や手洗い器側面とトイレ壁面との間に隙間が生じることがなくなる。
【００２２】
また、このような固定構造をとることで、手洗い器１１０の上側当接部１１７がトイレ壁面ＳＷの前面にしっかりと押し付け固定されるようになり、手洗い器上部に従来の手洗い器のようなバックハンガー収容部を設ける必要がなくなる。その結果、手洗い器上部に手洗い器の見栄えを損なうような突出部を形成させずに済む。また、手洗い器上部を従来の手洗い器のようにネジ等の締結具を介してトイレ壁面ＳＷに固定する必要がなくなるので、手洗い器上部にネジの頭部が露出するようなことがなくなり、手洗い器の見栄えを損なわずに済む。
【００２３】
また、従来の手洗い器のようにトイレ壁面裏側にこの手洗い器１１０を取り付けるための受け木を備える必要がなくなり、手洗い器設置の施工性を向上させることができる。
【００２４】
なお、上述した実施形態においては、手洗い器当接部１２５の後方上側角部１２５ａがトイレ壁面ＳＷに対応する位置になるようにキャビネット上面に備わっていたが（図１中、後方上側角部１２５ａとトイレ壁面ＳＷの前面を示す一点鎖線ＳＬ参照）、必ずしもこの寸法関係に限定されず、手洗い器底面の（トイレ室内側）前方部分の所定位置がキャビネット１２０の手洗い器当接部に当接しかつこれら両者が手洗い器前方固定ネジ１３０で固定されるとともに、手洗い器底面の後方側がキャビネット上面との間に形成された空間を介して手洗い器後方固定ネジ１４０によってキャビネット１２０に固定されていれば良い。
【００２５】
また、図１においては、手洗い器当接部１２５はキャビネット１２０と別体に描かれていたが、キャビネットの前方部分が後方部分よりも高さが高くなるような段差を設けていれば良く、手洗い器当接部をキャビネットと一体に設けた段付きキャビネットを用いても良いことは言うまでもない。
【００２６】
続いて、本発明の第２の実施形態にかかる手洗い器のトイレ内固定構造について図面に基づいて説明する。ここで、図３は、本発明の第２の実施形態にかかる手洗い器のトイレ内固定構造を示した概略図であり、手洗い器の幅方向ほぼ中央部分に沿って切断した状態を、ハッチングを省略したまま示している。なお、第１の実施形態と同等の構成については対応する符号を図面に付して詳細な説明を省略する。
【００２７】
本発明の第２の実施形態にかかるトイレ内への手洗い器の固定構造は、図３に示すように、手洗い器２１０と、この手洗い器２１０を載置するキャビネット（手洗い器載置部）２２０を備え、トイレ壁面ＳＷを所定の大きさにくり抜いた手洗い器収容部１０に手洗い器２１０の後方とキャビネット２２０の後方が一部入り込んだ状態でトイレ内に固定されている。
【００２８】
キャビネット２２０は例えば木材や樹脂でできた箱体からなり、上面が面一に形成されている。
【００２９】
手洗い器２１０は陶器等でできており、キャビネット２２０への載置状態においてトイレ壁面ＳＷよりもトイレ内側の手洗い器底面のみがキャビネット上面に当接するように手洗い器底部に段差が形成され、この手洗い器底面前方の下方に突出した部分がキャビネット当接部２１５となっている。そして、このキャビネット当接部２１５の下面がキャビネット当接面（載置部当接面）をなしている。また、手洗い器２１０の上部にはトイレ壁面ＳＷに押し当てられつつ当接する上側当接部２１７が形成されている。
【００３０】
そして、手洗い器底面のキャビネット当接部２１５がキャビネット上面に当接するとともに手洗い器前方固定ネジ（第１の締結具）２３０によって固定されている。また、手洗い器２１０の底面後方はキャビネット上面との間に形成された空間を介して手洗い器後方固定ネジ（第２の締結具）２４０によって固定されている。なお、手洗い器後方固定ネジ２４０はその締め付け度合いを調整可能となっている。そして、手洗い器２１０の上側当接部２１７は手洗い器後方固定ネジ２４０を適度に締め付けることによってトイレ壁面の前面に押し付け固定されている。
【００３１】
本発明の第２の実施形態にかかるトイレ内への手洗い器の固定構造によると、上述した第１の実施形態の場合と同様に、手洗い器後方固定ネジ２４０の締め付け度合いを調整することによって、手洗い器を図３に示すキャビネット当接部２１５の後方下側角部（図３中左下側角部）２１５ａを中心として図中反時計方向に回るように手洗い器２１０をトイレの手洗い器収容部１０に引き込む。これによって、手洗い器２１０の上側当接部２１７はトイレ壁面の前面にしっかりと押し付け固定されるとともに、手洗い器側面も手洗い器収容部１０のトイレ壁面開口縁部に押し付けられて手洗い器側面とトイレ壁面との間に隙間が生じることがなくなる。
【００３２】
また、このような固定構造をとることで、上述した第１の実施形態の場合と同様に、手洗い器２１０がトイレ壁面ＳＷの前面にしっかりと押し付け固定されるようになり、手洗い器上部に従来の手洗い器のようなバックハンガー収容部を設ける必要がなく、その結果、手洗い器上部に手洗い器の見栄えを損なうような突出部を形成させずに済む。また、手洗い器上部を従来の手洗い器のようにネジ等の締結具を介してトイレ壁面ＳＷに固定する必要がなくなるので、手洗い器上部にネジの頭部が露出するようなことがなくなり、手洗い器の見栄えを損なわずに済む。
【００３３】
また、従来の手洗い器のようにトイレ壁面裏側にこの手洗い器を取り付ける受け木を備える必要がなくなり、手洗い器設置の施工性を向上させることができる。
【００３４】
なお、上述した実施形態においては、キャビネット当接部２１５の後方下側角部２１５ａはトイレ壁面ＳＷに対応する位置になるように手洗い器底面に備わっていたが（図３中の後方下側角部２１５ａとトイレ壁面ＳＷの前面を示す二点鎖線ＳＬ参照）、必ずしもこの寸法関係に限定されず、手洗い器底面のキャビネット当接部２１５がキャビネット上面に当接しかつこれら両者が手洗い器前方固定ネジ２３０で当接されるとともに、手洗い器２１０の底面後方がキャビネット上面との間に形成された空間を介して手洗い器後方固定ネジ２４０によってキャビネット２２０に固定されていればどのような寸法関係にあっても良い。
【００３５】
また、図３においては、キャビネット当接部２１５は手洗い器２１０と一体に描かれていたが、手洗い器２１０の前方部分が後方部分よりも下方に突出するような段差を設ければ良く、キャビネット当接部２１５を手洗い器２１０と別体に設けてこれらを結合しても良いことは言うまでもない。
【００３６】
続いて、本発明の第３の実施形態にかかる手洗い器のトイレ内固定構造について説明する。なお、上述の実施形態と同等の構成については対応する符号を図面に付して詳細な説明を省略する。
【００３７】
本発明の第３の実施形態にかかるトイレ内への手洗い器の固定構造は、図４に示すように、手洗い器３１０と、この手洗い器３１０を載置するキャビネット（手洗い器載置部）３２０を備え、トイレ壁面ＳＷの前面に手洗い器３１０の後方とキャビネット３２０の後方が接した状態でトイレ内に固定されている。
【００３８】
キャビネット３２０は例えば木材や樹脂でできた箱体からなり、トイレへの固定状態において前方側（トイレ室内側）のキャビネット上面に所定厚さの板材からなる手洗い器当接部３２５が取り付けられている。そして、キャビネット上面の前方側半分がキャビネット上面の後方側半分よりも高さが高くなっている。
【００３９】
手洗い器３１０は陶器等でできており、本実施形態の場合、手洗い器３１０の底面は平坦に形成されている。また、手洗い器３１０の上部にはトイレ壁面ＳＷに押し当てられつつ当接する上側当接部３１７が形成されている。
【００４０】
そして、手洗い器３１０の底面前方がキャビネット上面の高さが高くなった手洗い器当接部３２５に手洗い器前方固定ネジ（第１の締結具）３３０によって固定されている。また、手洗い器３１０の底面後方がキャビネット上面の高さが低くなった部分に手洗い器３１０の底面後方とキャビネット上面との間に形成された空間を介して手洗い器後方固定ネジ（第２の締結具）３４０によって固定されている。なお、手洗い器後方固定ネジ３４０はその締め付け度合いを調整可能となっている。そして、手洗い器上側当接部３１７は手洗い器後方固定ネジ３４０を適度に締め付けることによってトイレ壁面ＳＷの前面に押し付け固定されている。
【００４１】
本発明の第３の実施形態にかかるトイレ内への手洗い器の固定構造によると、手洗い器後方固定ネジ３４０の締め付け度合いを調整することによって、手洗い器３１０を図４に示すキャビネット３２０の手洗い器当接部３２５の後方上側角部（図４中左上側角部）３２５ａを中心として図４中反時計方向に回るように手洗い器３１０の背面をトイレ壁面ＳＷに押し付ける。これによって、手洗い器上側当接部３１７はトイレ壁面の前面にしっかりと押し付け固定され、手洗い器上面や手洗い器側面とトイレ壁面ＳＷとの間に隙間が生じることがなくなる。
【００４２】
また、このような固定構造をとることで、本実施形態の場合においても手洗い器３１０がトイレ壁面ＳＷの前面にしっかりと押し付け固定されるようになり、手洗い器上部に従来の手洗い器のようなバックハンガー収容部を設ける必要がなく、その結果、手洗い器上部に手洗い器の見栄えを悪くするような突出部を形成させずに済む。また、手洗い器上部を従来の手洗い器のようにネジ等の締結具を介してトイレ壁面に固定する必要がなくなるので、手洗い器上部にネジの頭部が露出するようなことがなくなり、手洗い器の見栄えを損なわずに済む。
【００４３】
また、従来の手洗い器のようにトイレ壁面裏側にこの手洗い器を取り付ける受け木を備える必要がなくなり、手洗い器設置の施工性を向上させることができる。
【００４４】
なお、この実施形態においては、手洗い器当接部３２５の後方上側角部３２５ａが手洗い器底面のほぼ中央位置となるようにキャビネット上面に備わっていたが、必ずしもこの寸法関係に限定されず、手洗い器底面の前方部分の所定位置がキャビネットの手洗い器当接部に当接しかつこれら両者が手洗い器前方固定ネジ３３０で固定されるとともに、手洗い器底面の後方部分がキャビネット上面との間に形成された空間を介して手洗い器後方固定ネジ３４０によって固定されていれば良い。
【００４５】
また、図４においては、手洗い器当接部３２５はキャビネット３２０と別体に描かれていたが、キャビネット３２０の前方部分が後方部分よりも高さが高くなるような段差を設ければ良く、手洗い器当接部をキャビネットと一体に設けても良いことは言うまでもない
続いて、本発明の第４の実施形態にかかる手洗い器のトイレ内固定構造について説明する。図５は、本発明の第４の実施形態にかかる手洗い器のトイレ内固定構造を示した概略図であり、手洗い器の幅方向ほぼ中央部分に沿って切断した状態を、ハッチングを省略したまま示している。なお、上述の実施形態と同等の構成については対応する符号を図面に付して詳細な説明を省略する。
【００４６】
本発明の第４の実施形態にかかるトイレ内への手洗い器の固定構造は、図５に示すように、手洗い器４１０と、この手洗い器４１０を載置するキャビネット（手洗い器載置部）４２０を備え、トイレ壁面ＳＷの前面に手洗い器４１０の背面とキャビネット４２０の背面が接した状態でトイレ内に固定されている。
【００４７】
キャビネット４２０は例えば木材や樹脂でできた箱体からなり、上面が面一に形成されている。
【００４８】
手洗い器４１０は陶器等でできており、キャビネット４２０への載置状態において手洗い器４１０の中央部分よりも前側の手洗い器底面のみがキャビネット上面に当接するように手洗い器底部に段差が形成され、この手洗い器底面前方の下方に突出した部分がキャビネット当接部４１５となっている。そして、このキャビネット当接部４１５の下面がキャビネット当接面（載置部当接面）をなしている。また、手洗い器４１０の上部にはトイレ壁面に押し当てられつつ当接する上側当接部４１７が形成されている。
【００４９】
そして、手洗い器底面のキャビネット当接部４１５がキャビネット上面に当接するとともに手洗い器前方固定ネジ（第１の締結具）４３０によって固定されている。また、手洗い器４１０の底面後方はキャビネット上面との間に形成された空間を介して手洗い器後方固定ネジ（第２の締結具）４４０によって固定されている。なお、手洗い器後方固定ネジ４４０はその締め付け度合いを調整可能となっている。そして、手洗い器４１０の上側当接部４１７は手洗い器後方固定ネジ４４０を適度に締め付けることによってトイレ壁面の前面に押し付け固定されている。
【００５０】
本発明の第４の実施形態にかかるトイレ内への手洗い器の固定構造によると、上述した実施形態の場合と同様に、手洗い器後方固定ネジ４４０の締め付け度合いを調整することによって、手洗い器を図５に示すキャビネット４２０の手洗い器当接部４１５の後方下側角部（左下側角部）４１５ａを中心として図中反時計方向に回るように手洗い器４１０をトイレの壁面ＳＷに押し付ける。これによって、上側当接部４１７はトイレ壁面ＳＷの前面にしっかりと押し付け固定されるとともに、手洗い器側面も手洗い器収容部１０のトイレ壁面開口縁部に押し付けられて、手洗器上面や手洗い器側面とトイレ壁面ＳＷとの間に隙間が生じることがなくなる。
【００５１】
また、このような固定構造をとることで、上述した実施形態の場合と同様に、手洗い器４１０がトイレ壁面の前面にしっかりと押し付け固定されるようになり、手洗い器上部に従来の手洗い器のようなバックハンガー収容部を設ける必要がなく、その結果、手洗い器上部に手洗い器の見栄えを損なうような突出部を形成させずに済む。また、手洗い器上部を従来の手洗い器のようにネジ等の締結具を介してトイレ壁面に固定する必要がなくなるので、手洗い器上部にネジの頭部が露出するようなことがなくなり、手洗い器の見栄えを損なわずに済む。
【００５２】
また、従来の手洗い器のようにトイレ壁面裏側にこの手洗い器を取り付ける受け木を備える必要がなくなり、手洗い器設置の施工性を向上させることができる。
【００５３】
なお、上述した実施形態においては、キャビネット当接部４１５の後方下側角部４１５ａがキャビネット上面のほぼ中央部に位置するように手洗い器底面に備わっていたが、必ずしもこの寸法関係に限定されず、手洗い器底面のキャビネット当接部がキャビネット上面に当接しかつこれら両者が手洗い器前方固定ネジ４３０で当接されるとともに、手洗い器４１０の底面後方がキャビネット上面との間に形成された空間を介して手洗い器後方固定ネジ４４０によって固定されていればどのような寸法関係にあっても良い。
【００５４】
また、図５においては、キャビネット当接部４１５はキャビネットと一体に描かれていたが、手洗い器４１０の前方部分が後方部分よりも下方に突出するような段差を設ければ良く、キャビネット当接部を手洗い器と別体に設けてこれらを結合しても良いことは言うまでもない。
【００５５】
なお、上述の実施形態及びその変形例で記載した具体的材質名は単なる例示であって、それらの材質に限定されるものでないことは言うまでもない。
【図面の簡単な説明】
【００５６】
【図１】本発明の第１の実施形態にかかる手洗い器のトイレ内固定構造を示した概略図であり、手洗い器の幅方向ほぼ中央部分に沿って切断した状態を、ハッチングを省略したまま示している。
【図２】図１に示した手洗い器のトイレ内固定構造のうち手洗い器のみを示した平面図である。
【図３】本発明の第２の実施形態にかかる手洗い器のトイレ内固定構造を示した概略図であり、手洗い器の幅方向ほぼ中央部分に沿って切断した状態を、ハッチングを省略したまま示している。
【図４】本発明の第３の実施形態にかかる手洗い器のトイレ内固定構造を示した概略図であり、手洗い器の幅方向ほぼ中央部分に沿って切断した状態を、ハッチングを省略したまま示している。
【図５】本発明の第４の実施形態にかかる手洗い器のトイレ内固定構造を示した概略図であり、手洗い器の幅方向ほぼ中央部分に沿って切断した状態を、ハッチングを省略したまま示している。
【図６】従来の手洗い器のトイレ内固定構造を示した概略図であり、手洗い器の幅方向ほぼ中央部分に沿って切断した状態を、ハッチングを省略したまま示している。
【符号の説明】
【００５７】
１０    手洗い器収容部
１１    バックハンガー
１５    受け木
１１０    手洗い器
１１３ａ，１１３ｂ    取り付け穴
１１４ａ，１１４ｂ    取り付け穴
１１７    上側当接部
１２０    キャビネット（手洗い器載置部）
１２５    手洗い器当接部（カウンタ）
１２５ａ    後方上側角部
１３０    手洗い器前方固定ネジ（第１の締結具）
１４０    手洗い器後方固定ネジ（第２の締結具）
２１０    手洗い器
２１５    キャビネット当接部
２１５ａ    後方下側角部
２１７    上側当接部
２２０    キャビネット（手洗い器載置部）
２３０    手洗い器前方固定ネジ（第１の締結具）
２４０    手洗い器後方固定ネジ（第２の締結具）
３１０    手洗い器
３１７    上側当接部
３２０    キャビネット（手洗い器載置部）
３２５    手洗い器当接部
３２５ａ    後方上側角部
３３０    手洗い器前方固定ネジ（第１の締結具）
３４０    手洗い器後方固定ネジ（第２の締結具）
４１０    手洗い器
４１５    キャビネット当接部
４１５ａ    後方下側角部
４２０    キャビネット（手洗い器載置部）
４３０    手洗い器前方固定ネジ（第１の締結具）
４４０    手洗い器後方固定ネジ（第２の締結具）
５１０    手洗い器
５１１    引っ掛け部
５２０    キャビネット（手洗い器載置部）
ＳＬ      トイレ壁面の前面
ＳＷ      トイレ壁面
【図１】
0004596367.tif 000002
【図２】
0004596367.tif 000003
【図３】
0004596367.tif 000004
【図４】
0004596367.tif 000005
【図５】
0004596367.tif 000006
【図６】
0004596367.tif 000007